(57)【要約】【課題】本発明はスモッグ防止のサイクリング用フェイスマスクを開示した。【解決手段】フェイスマスクを含み、前記フェイスマスクの中には着用穴が前後対称的に設置され、上へカバー板を移動させ、引っ掛かりブロックが引っ掛かり溝を滑り出て、スライドブロックと移動ブロックがそれぞれスライドチャンバと移動チャンバとの中でスライドし、カバー板を回転させ、それによりカバー板が開けられ、フィルターを切り換え、濾過機構はスモッグ防止機能を持ち、フィルターによりスモッグを濾過し、出かける人の安全を保証し、またカバー板を開け、フィルターを切り換えることができ、資源を節約し、吸気機構内のつまみを回すことにより、吸気開口の大きさを調節し、空気進入量を調節できる。【選択図】図１
2020175087.tif 000002
【特許請求の範囲】
【請求項１】
フェイスマスクを含み、前記フェイスマスクの中には着用穴が前後対称的に設置され、前記フェイスマスクの左側端面には濾過箱が固定されており、前記濾過箱の中には空気を濾過できる濾過機構が設置され、前記濾過機構は前記濾過箱の中に設置されている濾過チャンバを含み、前記濾過チャンバの中には濾過機能を持つフィルターが置かれており、前記濾過箱の左側端面には左方に開口したスライドチャンバが設置され、前記スライドチャンバの中にはスライドブロックがスライドできるように装着され、前記スライドチャンバの右側には移動チャンバが連通して設置され、前記移動チャンバの中には移動ブロックがスライドできるように装着され、前記移動ブロックと前記スライドブロックとが固定的に連結され、前記濾過箱の左側端面のうち前記スライドチャンバの下方に位置しているところには上方に開口した引っ掛かり溝が設置され、前記濾過箱の左側にはカバー板が設置され、前記カバー板がスライドブロックのスライドにより開けられ、フィルターを切り換えることができ、前記カバー板の中には右方に開口した空気チャンバが設置され、前記空気チャンバの中には開口の大きさを調節できる吸気機構が設置され、前記吸気機構は前記空気チャンバの中に固定的に装着されている調節箱を含み、前記調節箱の中には伝動チャンバが設置され、前記伝動チャンバの中には前記カバー板の左側端面を貫通している伝動ロッドが回転できるように装着され、前記伝動ロッドの左側端面にはつまみが固定的に装着され、前記つまみを回して前記伝動ロッドを回転連動させ、吸気口の大きさを調節することを特徴とするスモッグ防止のサイクリング用フェイスマスク。
【請求項２】
前記濾過機構はまた前記スライドブロックの左側端面に固定的に装着されている連結ブロックを含み、前記連結ブロックの底部端面にはリミット溝が設置され、前記連結ブロックの左側端面には回転板が前後対称的に固定的に装着され、前後の前記回転板の間には回転ロッドが回転できるように装着され、前記カバー板と前記回転ロッドとが固定的に装着され、前記カバー板の右側端面にはリミットブロックが固定的に装着され、前記リミットブロックと前記リミット溝とは互いに引っ掛かることができ、前記カバー板の底部端面には引っ掛かりブロックが固定的に装着され、前記引っ掛かりブロックと前記引っ掛かり溝とがスライドできるように装着され、前記スライドブロックの頂部端面と前記スライドチャンバの頂壁との間にはばねが固定的に装着され、前記カバー板を上へ移動させ、前記引っ掛かりブロックが前記引っ掛かり溝を滑り出て、前記カバー板を回転させ、それにより前記カバー板が開けられ、前記フィルターを切り換えることができることを特徴とする請求項１に記載のスモッグ防止のサイクリング用フェイスマスク。
【請求項３】
前記吸気機構はまた前記空気チャンバの左側内壁に設置されている吸気穴を含み、前記伝動ロッドの右側端面には第一傘歯車が固定的に装着され、前記伝動チャンバの下方には調節チャンバが設置され、前記調節チャンバの底壁の中には前記伝動チャンバの底壁を貫通しているねじロッドが回転できるように装着され、前記ねじロッドの頂部端面には第二傘歯車が固定的に装着され、前記第二傘歯車と前記第一傘歯車とが噛み合っており、前記調節チャンバの中には四つの固定板が固定的に装着され、前記固定板の中には下方に開口した推し動かしチャンバが設置され、前記推し動かしチャンバの中にはねじブロックがスライドできるように装着され、前記推し動かしチャンバには定位溝が前後対称的に連通して設置され、前記定位溝の中には定位ブロックがスライドできるように装着され、前記定位ブロックと前記ねじブロックとが固定的に連結され、前記定位ブロックの頂壁には抜き穴が連通して設置され、前記ねじロッドが前記抜き穴を通し抜けており、前記ねじブロックと前記ねじロッドとがねじ山により装着され、前記つまみを回し、前記伝動ロッドを回転連動させ、これにより前記ねじロッドが回転し、前記ねじロッドが回転して前記ねじブロックを連動させて上下に移動させ、調節チャンバの開口の大きさを調節することを特徴とする請求項１に記載のスモッグ防止のサイクリング用フェイスマスク。
【発明の詳細な説明】
【技術分野】
【０００１】
本発明はフェイスマスク分野に関わり、具体的にはスモッグ防止のサイクリング用フェイスマスクである。
【背景技術】
【０００２】
人々は自転車に乗って出かける時にサイクリング用フェイスマスクを付け、普通のサイクリング用フェイスマスクはスモッグ防止の機能を持っていなく、空気質が悪い日に、スモッグが多く、体の健康に影響を与え、あるスモッグ防止フェイスマスクはフィルターを切り換えることができなく、それでフェイスマスクをしばらく使用した後に捨てなければならなく、無駄になり、フェイスマスクの吸気量を調整することもできない。
【先行技術文献】
【特許文献】
【０００３】
【特許文献１】中国特許出願公開第１０６６９３２２４号明細書
【発明の概要】
【発明が解決しようとする課題】
【０００４】
本発明はスモッグ防止のサイクリング用フェイスマスクを提供し、以上の背景技術にある欠点を解消することを目的とする。
【課題を解決するための手段】
【０００５】
本発明の実施例のスモッグ防止のサイクリング用フェイスマスクは、フェイスマスクを含み、前記フェイスマスクの中には着用穴が前後対称的に設置され、前記フェイスマスクの左側端面には濾過箱が固定されており、前記濾過箱の中には空気を濾過できる濾過機構が設置され、前記濾過機構は前記濾過箱の中に設置されている濾過チャンバを含み、前記濾過チャンバの中には濾過機能を持つフィルターが置かれており、前記濾過箱の左側端面には左方に開口したスライドチャンバが設置され、前記スライドチャンバの中にはスライドブロックがスライドできるように装着され、前記スライドチャンバの右側には移動チャンバが連通して設置され、前記移動チャンバの中には移動ブロックがスライドできるように装着され、前記移動ブロックと前記スライドブロックとが固定的に連結され、前記濾過箱の左側端面のうち前記スライドチャンバの下方に位置しているところには上方に開口した引っ掛かり溝が設置され、前記濾過箱の左側にはカバー板が設置され、前記カバー板がスライドブロックのスライドにより開けられ、フィルターを切り換えることができ、前記カバー板の中には右方に開口した空気チャンバが設置され、前記空気チャンバの中には開口の大きさを調節できる吸気機構が設置され、前記吸気機構は前記空気チャンバの中に固定的に装着されている調節箱を含み、前記調節箱の中には伝動チャンバが設置され、前記伝動チャンバの中には前記カバー板の左側端面を貫通している伝動ロッドが回転できるように装着され、前記伝動ロッドの左側端面にはつまみが固定的に装着され、前記つまみを回して前記伝動ロッドを回転連動させ、吸気口の大きさを調節する。
【０００６】
さらなる技術プラントには、前記濾過機構はまた前記スライドブロックの左側端面に固定的に装着されている連結ブロックを含み、前記連結ブロックの底部端面にはリミット溝が設置され、前記連結ブロックの左側端面には回転板が前後対称的に固定的に装着され、前後の前記回転板の間には回転ロッドが回転できるように装着され、前記カバー板と前記回転ロッドとが固定的に装着され、前記カバー板の右側端面にはリミットブロックが固定的に装着され、前記リミットブロックと前記リミット溝とは互いに引っ掛かることができ、前記カバー板の底部端面には引っ掛かりブロックが固定的に装着され、前記引っ掛かりブロックと前記引っ掛かり溝とがスライドできるように装着され、前記スライドブロックの頂部端面と前記スライドチャンバの頂壁との間にはばねが固定的に装着される。
【０００７】
さらなる技術プラントには、前記吸気機構はまた前記空気チャンバの左側内壁に設置されている吸気穴を含み、前記伝動ロッドの右側端面には第一傘歯車が固定的に装着され、前記伝動チャンバの下方には調節チャンバが設置され、前記調節チャンバの底壁の中には前記伝動チャンバの底壁を貫通しているねじロッドが回転できるように装着され、前記ねじロッドの頂部端面には第二傘歯車が固定的に装着され、前記第二傘歯車と前記第一傘歯車とが噛み合っており、前記調節チャンバの中には四つの固定板が固定的に装着され、前記固定板の中には下方に開口した推し動かしチャンバが設置され、前記推し動かしチャンバの中にはねじブロックがスライドできるように装着され、前記推し動かしチャンバには定位溝が前後対称的に連通して設置され、前記定位溝の中には定位ブロックがスライドできるように装着され、前記定位ブロックと前記ねじブロックとが固定的に連結され、前記定位ブロックの頂壁には抜き穴が連通して設置され、前記ねじロッドが前記抜き穴を通し抜けており、前記ねじブロックと前記ねじロッドとがねじ山により装着される。
【発明の効果】
【０００８】
本発明の有益な効果は：本発明の濾過機構はスモッグ防止機能を持ち、フィルターによりスモッグを濾過し、出かける人の安全を保証し、またカバー板を開け、フィルターを切り換えることができ、資源を節約し、吸気機構内のつまみを回すことにより、吸気開口の大きさを調節し、空気進入量を調節でき、普及する価値がある。
【図面の簡単な説明】
【０００９】
【図１】図１は本発明の構成概略図
【図２】図２は図１のＡ−Ａ方向の断面構成概略図
【図３】図３は図１のＢの拡大概略図
【発明を実施するための形態】
【００１０】
次に図１−３を合わせて本発明を詳しく説明し、意思の疎通にもっと便利なため、後文に出る方位を以下の通りに規定する：下記の上下左右前後の方向は図１自体の投影関係の上下左右前後の方向と一致している。
【００１１】
図１−３を参照し、本発明の実施例のスモッグ防止のサイクリング用フェイスマスクは、フェイスマスク１１を含み、前記フェイスマスク１１の中には着用穴１２が前後対称的に設置され、前記フェイスマスク１１の左側端面には濾過箱３４が固定されており、前記濾過箱３４の中には空気を濾過できる濾過機構８０が設置され、前記濾過機構８０は前記濾過箱３４の中に設置されている濾過チャンバ３５を含み、前記濾過チャンバ３５の中には濾過機能を持つフィルター３６が置かれており、前記濾過箱３４の左側端面には左方に開口したスライドチャンバ４０が設置され、前記スライドチャンバ４０の中にはスライドブロック３７がスライドできるように装着され、前記スライドチャンバ４０の右側には移動チャンバ４１が連通して設置され、前記移動チャンバ４１の中には移動ブロック３８がスライドできるように装着され、前記移動ブロック３８と前記スライドブロック３７とが固定的に連結され、前記濾過箱３４の左側端面のうち前記スライドチャンバ４０の下方に位置しているところには上方に開口した引っ掛かり溝３３が設置され、前記濾過箱３４の左側にはカバー板２８が設置され、前記カバー板２８がスライドブロック３７のスライドにより開けられ、フィルター３６を切り換えることができ、前記カバー板２８の中には右方に開口した空気チャンバ３１が設置され、前記空気チャンバ３１の中には開口の大きさを調節できる吸気機構９０が設置され、前記吸気機構９０は前記空気チャンバ３１の中に固定的に装着されている調節箱１３を含み、前記調節箱１３の中には伝動チャンバ２６が設置され、前記伝動チャンバ２６の中には前記カバー板２８の左側端面を貫通している伝動ロッド２４が回転できるように装着され、前記伝動ロッド２４の左側端面にはつまみ２９が固定的に装着され、前記つまみ２９を回して前記伝動ロッド２４を回転連動させ、吸気口の大きさを調節する。
【００１２】
前記濾過機構８０はまた前記スライドブロック３７の左側端面に固定的に装着されている連結ブロック４６を含み、前記連結ブロック４６の底部端面にはリミット溝４２が設置され、前記連結ブロック４６の左側端面には回転板４３が前後対称的に固定的に装着され、前後の前記回転板４３の間には回転ロッド４４が回転できるように装着され、前記カバー板２８と前記回転ロッド４４とが固定的に装着され、前記カバー板２８の右側端面にはリミットブロック４５が固定的に装着され、前記リミットブロック４５と前記リミット溝４２とは互いに引っ掛かることができ、前記カバー板２８の底部端面には引っ掛かりブロック３２が固定的に装着され、前記引っ掛かりブロック３２と前記引っ掛かり溝３３とがスライドできるように装着され、前記スライドブロック３７の頂部端面と前記スライドチャンバ４０の頂壁との間にはばね３９が固定的に装着され、それによりカバー板２８を上へ移動させ、引っ掛かりブロック３２が引っ掛かり溝３３を滑り出て、スライドブロック３７と移動ブロック３８がそれぞれスライドチャンバ４０と移動チャンバ４１との中でスライドし、カバー板２８を回転させ、それによりカバー板２８が開けられ、フィルター３６を切り換えることができる。
【００１３】
前記吸気機構９０はまた前記空気チャンバ３１の左側内壁に設置されている吸気穴３０を含み、前記伝動ロッド２４の右側端面には第一傘歯車２５が固定的に装着され、前記伝動チャンバ２６の下方には調節チャンバ１７が設置され、前記調節チャンバ１７の底壁の中には前記伝動チャンバ２６の底壁を貫通しているねじロッド１４が回転できるように装着され、前記ねじロッド１４の頂部端面には第二傘歯車２３が固定的に装着され、前記第二傘歯車２３と前記第一傘歯車２５とが噛み合っており、前記調節チャンバ１７の中には四つの固定板１５が固定的に装着され、前記固定板１５の中には下方に開口した推し動かしチャンバ２２が設置され、前記推し動かしチャンバ２２の中にはねじブロック１９がスライドできるように装着され、前記推し動かしチャンバ２２には定位溝２１が前後対称的に連通して設置され、前記定位溝２１の中には定位ブロック２０がスライドできるように装着され、前記定位ブロック２０と前記ねじブロック１９とが固定的に連結され、前記定位ブロック２０の頂壁には抜き穴１６が連通して設置され、前記ねじロッド１４が前記抜き穴１６を通し抜けており、前記ねじブロック１９と前記ねじロッド１４とがねじ山により装着され、それによりつまみ２９を回し、伝動ロッド２４を回転連動させ、伝動ロッド２４が回転して第一傘歯車２５を回転連動させ、第一傘歯車２５が第二傘歯車２３との噛み合いによりねじロッド１４を回転連動させ、ねじロッド１４が回転してねじブロック１９を連動させて上下に移動させ、調節チャンバ１７の開口の大きさを調節する。
【００１４】
使用する時、上へカバー板２８を移動させ、引っ掛かりブロック３２が引っ掛かり溝３３を滑り出て、スライドブロック３７と移動ブロック３８がそれぞれスライドチャンバ４０と移動チャンバ４１との中でスライドし、カバー板２８を回転させ、それによりカバー板２８が開けられ、フィルター３６を切り換え、つまみ２９を回し、伝動ロッド２４を回転連動させ、伝動ロッド２４が回転して第一傘歯車２５を回転連動させ、第一傘歯車２５が第二傘歯車２３との噛み合いによりねじロッド１４を回転連動させ、ねじロッド１４が回転してねじブロック１９を連動させて上下に移動させ、調節チャンバ１７の開口の大きさを調節する。
【００１５】
本発明の有益な効果は：本発明の濾過機構はスモッグ防止機能を持ち、フィルターによりスモッグを濾過し、出かける人の安全を保証し、またカバー板を開け、フィルターを切り換えることができ、資源を節約し、吸気機構内のつまみを回すことにより、吸気開口の大きさを調節し、空気進入量を調節でき、普及する価値がある。
【００１６】
当業者は明確できるのは、本発明の総体精神及び構想を離脱しない限り、上記の実施例に対して各種の変型を行える。それらの変型がいずれも本発明の保護範囲に含む。本発明の保護方案が本発明に添付された特許請求の範囲を基準とするべきである。
【図１】
2020175087.tif 000003
【図２】
2020175087.tif 000004
【図３】
2020175087.tif 000005
【手続補正書】
【提出日】令和1年10月22日(2019.10.22)
【手続補正１】
【補正対象書類名】特許請求の範囲
【補正対象項目名】全文
【補正方法】変更
【補正の内容】
【特許請求の範囲】
【請求項１】
フェイスマスクを含み、前記フェイスマスクの中には着用穴が前後対称的に設置され、前記フェイスマスクの左側端面には濾過箱が固定されており、前記濾過箱の中には空気を濾過できる濾過機構が設置され、前記濾過機構は前記濾過箱の中に設置されている濾過チャンバを含み、前記濾過チャンバの中には濾過機能を持つフィルターが置かれており、前記濾過箱の左側端面には左方に開口したスライドチャンバが設置され、前記スライドチャンバの中にはスライドブロックがスライドできるように装着され、前記スライドチャンバの右側には移動チャンバが連通して設置され、前記移動チャンバの中には移動ブロックがスライドできるように装着され、前記移動ブロックと前記スライドブロックとが固定的に連結され、前記濾過箱の左側端面のうち前記スライドチャンバの下方に位置しているところには上方に開口した引っ掛かり溝が設置され、前記濾過箱の左側にはカバー板が設置され、前記カバー板がスライドブロックのスライドにより開けられ、フィルターを切り換えることができ、前記カバー板の中には右方に開口した空気チャンバが設置され、前記空気チャンバの中には開口の大きさを調節できる吸気機構が設置され、前記吸気機構は前記空気チャンバの中に固定的に装着されている調節箱を含み、前記調節箱の中には伝動チャンバが設置され、前記伝動チャンバの中には前記カバー板の左側端面を貫通している伝動ロッドが回転できるように装着され、前記伝動ロッドの左側端面にはつまみが固定的に装着され、前記つまみを回して前記伝動ロッドを回転連動させ、吸気口の大きさを調節し、
前記濾過機構はまた前記スライドブロックの左側端面に固定的に装着されている連結ブロックを含み、前記連結ブロックの底部端面にはリミット溝が設置され、前記連結ブロックの左側端面には回転板が前後対称的に固定的に装着され、前後の前記回転板の間には回転ロッドが回転できるように装着され、前記カバー板と前記回転ロッドとが固定的に装着され、前記カバー板の右側端面にはリミットブロックが固定的に装着され、前記リミットブロックと前記リミット溝とは互いに引っ掛かることができ、前記カバー板の底部端面には引っ掛かりブロックが固定的に装着され、前記引っ掛かりブロックと前記引っ掛かり溝とがスライドできるように装着され、前記スライドブロックの頂部端面と前記スライドチャンバの頂壁との間にはばねが固定的に装着され、前記カバー板を上へ移動させ、前記引っ掛かりブロックが前記引っ掛かり溝を滑り出て、前記カバー板を回転させ、それにより前記カバー板が開けられ、前記フィルターを切り換えることができ、
前記吸気機構はまた前記空気チャンバの左側内壁に設置されている吸気穴を含み、前記伝動ロッドの右側端面には第一傘歯車が固定的に装着され、前記伝動チャンバの下方には調節チャンバが設置され、前記調節チャンバの底壁の中には前記伝動チャンバの底壁を貫通しているねじロッドが回転できるように装着され、前記ねじロッドの頂部端面には第二傘歯車が固定的に装着され、前記第二傘歯車と前記第一傘歯車とが噛み合っており、前記調節チャンバの中には四つの固定板が固定的に装着され、前記固定板の中には下方に開口した推し動かしチャンバが設置され、前記推し動かしチャンバの中にはねじブロックがスライドできるように装着され、前記推し動かしチャンバには定位溝が前後対称的に連通して設置され、前記定位溝の中には定位ブロックがスライドできるように装着され、前記定位ブロックと前記ねじブロックとが固定的に連結され、前記定位ブロックの頂壁には抜き穴が連通して設置され、前記ねじロッドが前記抜き穴を通し抜けており、前記ねじブロックと前記ねじロッドとがねじ山により装着され、前記つまみを回し、前記伝動ロッドを回転連動させ、これにより前記ねじロッドが回転し、前記ねじロッドが回転して前記ねじブロックを連動させて上下に移動させ、調節チャンバの開口の大きさを調節することを特徴とするスモッグ防止のサイクリング用フェイスマスク。